(57)【要約】【課題】装置筐体の底面に設けた脚部材により装置を移動させることができるとともに、設置した装置筐体の底面と床面との隙間に原稿、用紙等の異物を入り込まないようにした画像形成装置を提供する。【解決手段】装置筐体１ａの底面１ｂに複数の脚部材２６を設ける。脚部材２６により底面１ｂと床面Ｆとの間に形成される隙間を遮蔽する遮蔽部材３１を少なくとも装置１の前面１ｃ側に設けた。【選択図】図２
2008292996.tif 000002
【特許請求の範囲】
【請求項１】
床面に対面する底面と装置を操作する前面とを備えた装置筐体と、前記底面に設けられ、装置を床面に移動可能に支持する複数の脚部材と、少なくとも装置の前記前面側において前記底面と床面との間に形成される隙間を遮蔽する遮蔽部材とを備えることを特徴とする画像形成装置。
【請求項２】
前記遮蔽部材は、前記隙間を遮蔽する位置と前記底面に収納される位置とに移動自在であることを特徴とする請求項１に記載の画像形成装置。
【請求項３】
前記遮蔽部材は、装置から着脱自在であることを特徴とする請求項１に記載の画像形成装置。
【請求項４】
前記遮蔽部材は板形状であることを特徴とする請求項１〜請求項３のいずれかに記載の画像形成装置。
【請求項５】
前記遮蔽部材は複数の帯状板であることを特徴とする請求項１〜請求項３のいずれかに記載の画像形成装置。
【請求項６】
前記脚部材は、回転して床面を移動自在であるキャスタと、床面と前記底面との間で移動自在である固定脚部材とを備え、前記遮蔽部材は、前記固定脚部材の移動に連動して床面と前記底面との間を移動することを特徴とする請求項１に記載の画像形成装置。
【請求項７】
前記遮蔽部材は、装置の前面側に形成される前面隙間と、装置の側面側に形成される側面隙間との間を移動自在であることを特徴とする請求項１に記載の画像形成装置。
【請求項８】
前記遮蔽部材は、複数の遮蔽体を備え、前記遮蔽体は装置の上下方向に長い直方体形状で、前記複数の遮蔽体は装置の横方向に配列して連結されることを特徴とする請求項７に記載の画像形成装置。
【請求項９】
前記遮蔽部材は、蛇腹形状であり、装置の横方向に伸縮自在であることを特徴とする請求項７に記載の画像形成装置。
【請求項１０】
前記遮蔽部材は可撓性部材を備えることを特徴とする請求項１に記載の画像形成装置。
【請求項１１】
前記遮蔽部材は、装置の横方向に配列して連結される複数の遮蔽体を備え、前記可撓性部材は、前記複数の遮蔽体の床面側に設けられることを特徴とする請求項１０に記載の画像形成装置。
【発明の詳細な説明】
【技術分野】
【０００１】
本発明は、複写機、ファクシミリ、プリンタ等の画像形成装置に関し、特に、装置を床面に支持する脚部材を備える画像形成装置に関するものである。
【背景技術】
【０００２】
従来、画像形成装置として、デスクトップタイプの小型の装置から床置タイプの大型の装置まで様々なタイプのものが知られている。これらの画像形成装置には、装置筐体の底面の４隅近傍に４個のキャスタ等の脚部材が取り付けられているものがある。このキャスタにより装置を容易に移動させ、装置の設置時にキャスタをロックして床面に固定する。またキャスタがねじ込み式で取り付けられ、ネジの高さを調整することにより、全てのキャスタが接地するようにして高さ調節するものがある。これにより、画像形成装置のがたつきを防止でき、且つ移動を容易にしている。
【０００３】
しかしながら、４個のキャスタを設けることはコスト高となるということにより、例えば、特開２００６−１２６６０５号公報では、装置筐体の底面に固定式の脚部材と２個のキャスタが取り付けられ、キャスタは、装置筐体の底面の一端縁側で脚部材の外側に取り付けられて、その高さを脚部材より低くしてある。このように配置することにより、移動時にはキャスタのみを床面に接地するように傾けて持ち上げて移動させ、装置の設置時にはキャスタが床面に接触せず、固定式脚部材のみにより装置を支持している。
【０００４】
しかしながら上述した特許文献では、装置を移動させるキャスタを装置筐体の底面に設けているために、設置時には装置筐体の底面と床面との間に隙間が発生する。画像形成装置により印刷・複写するときに、原稿または画像形成した用紙を床面に落とした場合に、原稿、用紙がこの隙間に入り込むことがある。設置した装置はキャスタがロックされており、また固定式脚部材とキャスタを備える装置では、固定式脚部材で床面に支持されているので、装置を移動させることが難しく、原稿、用紙を簡単にその隙間から取り出せない。また、画像形成装置に後処置装置を装着していると一層移動させにくくなり、原稿、用紙を簡単にその隙間から取り出せない。また事務所等の部屋壁面に装置の背面を向けて、場合によっては装置の背面と側面を壁面に向けて設置していると、その隙間に塵埃が溜まり、原稿、用紙を隙間から取り出せたとしても、その塵埃が原稿、用紙に付着して、汚れるおそれがある。
【特許文献１】特開２００６−１２６６０５号公報（段落［００１０］、図１、図３）
【発明の開示】
【発明が解決しようとする課題】
【０００５】
本発明は、上記のような課題を解決するためになされたものであり、装置筐体の底面に設けた脚部材により装置を移動させることができるとともに、設置した装置筐体の底面と床面との隙間に原稿、用紙等の異物が入り込まないようにした画像形成装置を提供することを目的とする。
【課題を解決するための手段】
【０００６】
上記目的を達成するために本発明は、床面に対面する底面と装置を操作する前面とを備えた装置筐体と、前記底面に設けられ、装置を床面に移動可能に支持する複数の脚部材と、少なくとも装置の前記前面側において前記底面と床面との間に形成される隙間を遮蔽する遮蔽部材とを備えることを特徴としている。
【０００７】
この構成によれば、少なくとも装置の前面において、遮蔽部材により装置筐体の底面と床面との間に形成させる隙間に原稿、用紙等の異物が進入することを遮る。
【０００８】
また、請求項２に記載の発明では、前記遮蔽部材は、前記隙間を遮蔽する位置と前記底面に収納される位置とに移動自在であることを特徴としている。この構成によれば、装置を移動させるときには遮蔽部材を装置筐体の底面に入れることが可能であり、装置を設置するときには、遮蔽部材を底面から出して、遮蔽部材が底面と床面との隙間を遮蔽することが可能である。
【０００９】
また、請求項３に記載の発明では、前記遮蔽部材は、装置から着脱自在であることを特徴としている。この構成によれば、装置を移動させるときには遮蔽部材を装置から取り外すことが可能であり、装置を設置するときには、遮蔽部材を装置に取り付けて、遮蔽部材が装置筐体の底面と床面との隙間を遮蔽することが可能である。
【００１０】
また、請求項４に記載の発明では、前記遮蔽部材は板形状であることを特徴としている。この構成によれば、装置を移動させるときにはこの板を装置筐体の底面に入れる、または取り外すことが可能であり、装置を設置するときには、この板が底面と床面との隙間を遮蔽することが可能である。
【００１１】
また、請求項５に記載の発明では、前記遮蔽部材は複数の帯状板であることを特徴としている。この構成によれば、装置を移動させるときには複数の帯状板を装置筐体の底面に入れる、または取り外すことが可能であり、装置を設置するときには、複数の帯状板を底面から出して、複数の帯状板が底面と床面との隙間を遮蔽することが可能である。
【００１２】
また、請求項６に記載の発明では、前記脚部材は、回転して床面を移動自在であるキャスタと、床面と前記底面との間で移動自在である固定脚部材とを備え、前記遮蔽部材は、前記固定脚部材の移動に連動して床面と前記底面との間を移動することを特徴としている。この構成によると、装置を移動させるときには固定脚部材を装置筐体の底面側に移動させると、遮蔽部材を底面に収納することが可能であり、装置を設置するときには、固定脚部材を床面側に移動させると、遮蔽部材も床面側に移動して、遮蔽部材が装置筐体の底面と床面との隙間を遮蔽することが可能である。
【００１３】
また、請求項７に記載の発明では、前記遮蔽部材は、装置の前面側に形成される前面隙間と、装置の側面側に形成される側面隙間との間を移動自在であることを特徴としている。この構成によれば、装置を設置するときには、遮蔽部材が装置の前面の隙間とともに側面の隙間を遮蔽することが可能である。
【００１４】
また、請求項８に記載の発明では、前記遮蔽部材は、複数の遮蔽体を備え、前記遮蔽体は装置の上下方向に長い直方体形状で、前記複数の遮蔽体は装置の横方向に配列して連結されることを特徴としている。この構成によれば、複数の遮蔽体が装置の前面と側面のコーナーをフレキシブルに移動して、遮蔽部材は装置の前面と側面の隙間を遮蔽する。
【００１５】
また、請求項９に記載の発明では、前記遮蔽部材は、蛇腹形状であり、装置の横方向に伸縮自在であることを特徴としている。この構成によれば、装置を移動させるときには蛇腹形状の遮蔽部材を縮めると、遮蔽部材が収納され、装置を設置するときには、蛇腹形状の遮蔽部材を伸ばすと、遮蔽部材が装置筐体の底面と床面との隙間を遮蔽することが可能である。
【００１６】
また、請求項１０に記載の発明では、前記遮蔽部材は可撓性部材を備えることを特徴としている。この構成によれば、装置の高さが調整されて、装置筐体の底面と床面との隙間の高さが変わっても、可撓性部材が、床面に当接して、装置筐体の底面と床面との隙間を遮蔽する。
【００１７】
また、請求項１１に記載の発明では、前記遮蔽部材は、装置の横方向に配列して連結される複数の遮蔽体を備え、前記可撓性部材は、前記複数の遮蔽体の床面側に設けられることを特徴としている。この構成によれば、複数の遮蔽体が装置の前面と側面のコーナーをフレキシブルに移動して、遮蔽部材は装置筐体の底面と床面との隙間を遮蔽する。また、装置の高さが調整されて、装置筐体の底面と床面との隙間の高さが変わっても、可撓性部材が、床面に当接して、装置筐体の底面と床面との隙間を遮蔽する。
【発明の効果】
【００１８】
請求項１に記載の発明によれば、装置の前面側において装置筐体の底面から床面との間に形成される隙間に遮蔽部材を設けたので、その隙間に原稿、用紙等の異物が入り込むことがない。
【００１９】
また、請求項２に記載の発明によれば、遮蔽部材は、装置筐体の底面と床面との隙間を遮蔽する位置と底面に収納される位置とに移動自在であるので、装置を移動させるときには遮蔽部材を底面に納めて、簡単に装置を移動させることができるとともに、装置を設置するときには、遮蔽部材を底面から出して、その隙間を遮蔽すると、原稿、用紙等の異物が入り込むことがない。
【００２０】
また、請求項３に記載の発明によれば、遮蔽部材は装置から着脱自在であるので、装置を移動させるときには遮蔽部材を装置から取り外して、簡単に装置を移動させることができるとともに、装置を設置するときには、装置筐体の底面から床面との間に形成される隙間に遮蔽部材を装置に取り付けて、その隙間を遮蔽すると、原稿、用紙等の異物が入り込むことがない。
【００２１】
また、請求項４に記載の発明によれば、遮蔽部材が板形状であるので、装置の移動時には遮蔽部材を底面に納めても、嵩高になることがなく、装置を設置するときには、遮蔽部材が装置筐体の底面と床面との隙間を遮蔽するために、その隙間に原稿、用紙等の異物が入り込むことがない。
【００２２】
また、請求項５に記載の発明によれば、遮蔽部材が複数の帯状板であるので、装置の移動時には遮蔽部材を底面に納めても、嵩高になることがなく、装置を設置するときには、遮蔽部材が装置筐体の底面と床面との隙間を遮蔽するために、その隙間に原稿、用紙等の異物が入り込むことがない。
【００２３】
また、請求項６に記載の発明によれば、脚部材は、キャスタと床面側に移動自在である固定脚部材とを備え、遮蔽部材が固定脚部材の移動に連動して装置筐体の底面から床面側に出入りするので、装置を移動させるときには固定脚部材を底面側に移動させると、遮蔽部材も底面側に移動して装置筐体の底面に納めることが可能であるとともに、装置を設置するときには、固定脚部材を床面側に移動させると、遮蔽部材も床面側に移動して、遮蔽部材が装置筐体の底面と床面との隙間を遮蔽して、その隙間に原稿、用紙等の異物が入り込むことがない。
【００２４】
また、請求項７に記載の発明によれば、装置を設置するときには、遮蔽部材が装置の前面の隙間とともに側面の隙間を遮蔽することが可能であるので、装置を設置する場所に応じて、装置の前面の隙間と、必要なら側面の隙間を遮蔽することができ、それらの隙間から原稿、用紙等の異物が入り込むことがない。
【００２５】
また、請求項８に記載の発明によれば、複数の遮蔽体が装置の前面と側面のコーナーをフレキシブルに移動して、遮蔽部材は装置の前面と側面の隙間を遮蔽するので、遮蔽部材が装置の前面と側面との隙間の間を嵩張ることなく滑らに移動することができる。
【００２６】
また、請求項９に記載の発明によれば、装置を移動させるときには蛇腹形状の遮蔽部材を縮めると、遮蔽部材が収納され、装置を設置するときには、蛇腹形状の遮蔽部材を伸ばすと、遮蔽部材が装置筐体の底面と床面との隙間を遮蔽することが可能であるので、装置の移動時には遮蔽部材を嵩張ることなく収納することができ、装置を設置するときには、遮蔽部材が装置筐体の底面と床面との隙間を遮蔽するために、その隙間に原稿、用紙等の異物が入り込むことがない。
【００２７】
また、請求項１０に記載の発明によれば、装置の高さが調整されて、装置筐体の底面と床面との隙間の高さが変わっても、可撓性部材が、床面に当接して、装置筐体の底面と床面との隙間を遮蔽するので、その隙間に原稿、用紙等の異物が入り込むことがない。
【００２８】
また、請求項１１に記載の発明によれば、複数の遮蔽体が装置の前面と側面のコーナーをフレキシブルに移動して、遮蔽部材は装置筐体の底面と床面との隙間を遮蔽する。また、装置の高さが調整されて、装置筐体の底面と床面との隙間の高さが変わっても、可撓性部材が、床面に当接して、装置筐体の底面と床面との隙間を遮蔽するので、遮蔽部材が装置の前面と側面との間を嵩張ることなく滑らに移動することができるとともに、装置の高さが調整されても、遮蔽部材が装置筐体の底面と床面との隙間を遮蔽するために、その隙間に原稿、用紙等の異物が入り込むことがない。
【発明を実施するための最良の形態】
【００２９】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００３０】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００３１】
図１は、本発明の画像形成装置１の全体構成を示す概略図である。図１に示す様に、画像形成装置１は、デジタル複写機であり、装置の下部に配設された給紙部２と、この給紙部２の側方及び上方に配設された用紙搬送部３と、この用紙搬送部３の右方に配設された画像形成部４と、装置の上方に配設された画像読取部５を備えている。
【００３２】
給紙部２は、用紙が収容された複数の給紙カセット６を備えており、給紙ローラ７の回転動作により、給紙カセット６から用紙が用紙搬送部３側に送り出され、用紙が１枚ずつ確実に用紙搬送部３に給紙されるように構成されている。
【００３３】
用紙は用紙搬送部３を経由して画像形成部４に向けて搬送される。この画像形成部４は、電子写真プロセスによって、用紙に所定のトナー像を形成するものであり、所定の方向（図中の矢印方向）に回転可能に軸支された像担持体である感光体１２と、この感光体１２の周囲にその回転方向に沿って、帯電ユニット１３、現像ユニット１４、転写ユニット１５、クリーニングユニット１６および除電ユニット１７を備えている。
【００３４】
帯電ユニット１３は、感光体１２の表面に所定電位を与えることにより、感光体１２の表面が一様に帯電させられる。そして、画像読取部５により読み取られた原稿の画像データに基づくレーザ走査ユニット１８からのレーザビームにより感光体１２上に静電潜像が形成される。次いで、現像ユニット１４により、静電潜像にトナーが付着し、感光体１２の表面にトナー像が形成され、転写ユニット１５により、感光体１２の表面のトナー像が、感光体１２と転写ユニット１５との間に供給された用紙に転写される。
【００３５】
トナー像が転写された用紙（以下、「転写紙」という）は、画像形成部４から定着ローラ対１９に向けて搬送される。この定着ローラ対１９は、画像形成部４の用紙搬送方向の下流側に配置されており、転写紙は定着ローラ対１９を構成する加熱ローラ、及び加熱ローラに押し付けられる加圧ローラによって挟まれるとともに加熱され、転写紙上にトナー像が定着される。
【００３６】
次いで、画像形成部４から定着ローラ対１９において画像形成がなされた転写紙は、排出ローラ対２０によって用紙排出部５１に排出され、装置から突出して設けられた用紙排出部５１に積載される。一方、転写後、感光体１２の表面に残留しているトナーは、クリーニングユニット１６により除去され、感光体１２の表面の残留電荷は、除電ユニット１７により除去される。そして、感光体１２は帯電ユニット１３によって再び帯電され、以下同様にして画像形成が行われることになる。
【００３７】
（第１実施形態）
図２及び図３は、本発明の第１実施形態に係る画像形成装置１の外観構成を示す概略図であり、図２は画像形成装置１の側面を示す図で、図３は画像形成装置１の給紙カセット、操作パネル等を備える前面を示す図である。図４は床面側から見た遮蔽部材を示す斜視図である。
【００３８】
図２に示すように、画像形成装置１の前面１ｃには給紙カセット６、操作パネル５２が設けられている。給紙カセット６の給紙及び操作パネル５２の操作が画像形成装置１の前面１ｃ側から行われる。操作パネル５２は画像形成装置１の上面また側面にあっても良く、使用者が画像形成装置１を複写・印刷の操作を行うときに、装置に向かう面を前面とする。画像形成装置１の筐体１ａにおける底面１ｂの四隅近傍には、キャスタ２１が設けられている。このキャスタ２１の各々には、軸部２３が取り付けられており、キャスタ２１の各々は、この軸部２３を介して、筐体１ａの底面１ｂに取り付けられた保持部材２５に回動自在に保持される構成となっている。保持部材２５には、キャスタ２１の回動を係止するロック２４が取り付けられている。キャスタ２１、軸部２３、ロック２４及び保持部材２５が脚部材２６を構成する。このキャスタを床面Ｆ上で転がせて画像形成装置１を移動させ、画像形成装置１を設置するときには、キャスタ２１をロック２４により係止して画像形成装置１を床面Ｆに支持する。
【００３９】
また、装置の前面１ｃ側において、筐体１ａの底面１ｂと床面Ｆとの間に形成される隙間には、遮蔽部材３１が設けられており、装置の前面１ｃ側において、その隙間を略全域において遮蔽している（図３参照）。遮蔽部材３１は、板状であり、遮蔽部材３１の後面の両側面１ｄ側に２箇の摺動軸３２が取り付けられている。この摺動軸３２は底面１ｂに取り付けられたガイド部材３３内を移動自在に保持される構成である。図４に詳しく示すように、摺動軸３２は、ガイド部材３３に設けたガイド溝３４に案内されている。ガイド溝３４は底面１ｂ方向に延びた直線溝と前面１ｃ方向に延びた直線溝で構成され、従って摺動軸３２が底面１ｂ方向のガイド溝３４に案内されているときには、図２の破線で示すように遮蔽部材３１は底面１ｂに沿って収納され、摺動軸３２が前面１ｃ方向のガイド溝３４に案内されているときには、遮蔽部材３１が底面１ｂと床面Ｆを遮蔽するように前面１ｃに出ている。
【００４０】
このような遮蔽部材３１を備えた画像形成装置１を設置するときには、キャスタ２１をロック２４により係止して、画像形成措置１を床面Ｆにしっかりと支持するとともに、筐体１ａの底面１ｂと床面Ｆとの間に形成される隙間を遮蔽するように、遮蔽部材３１を前面１ｃ側に引き出しておくと、原稿、用紙等の異物がその隙間に入り込むことがない。
【００４１】
（第２実施形態）
図５及び図６は、本発明の第２実施形態に係る画像形成装置１の外観構成を示す概略図であり、図５は画像形成装置１の給紙カセット、操作パネル等を備える前面を示す図で、図６は画像形成装置１の側面を示す図である。第１実施形態と異なる、遮蔽部材３５について説明し、以降、第１実施形態と同じ部分の説明を省略する。
【００４２】
図５に示すように、遮蔽部材３５は、装置の側面１ｄ側（装置の横方向、図５の左右方向）に長く延在する複数の帯状の板を装置の上下方向に平行に並べて連結した構成であり、筐体１ａの底面１ｂと床面Ｆの隙間を遮蔽している。図６に示す、遮蔽部材３５が隙間を遮蔽した状態から遮蔽部材３５を筐体１ａの底面１ｂに収納するには、遮蔽部材３５を引き上げると、遮蔽部材３５の摺動軸３２がガイド部材３３のガイド溝に沿って案内されて、遮蔽部材３５が底面１ｂに沿って収納される。遮蔽部材３５をこのように複数の帯状の板で構成すると、遮蔽部材３５の収納と遮蔽のための出し入れ操作を行いやすくなる。
【００４３】
（第３実施形態）
図７及び図８は、本発明の第３実施形態に係る画像形成装置１を示し、図７は遮蔽部材の構成を示す斜視図であり、図８は画像形成装置１の構成を示す側面図である。
【００４４】
図７に示すように、遮蔽部材３６は、断面がコ字状の板であり、その上側に３個の切り欠き３６ａが設けられている。図８に示す筐体１ａの底面１ｂには、ピン３９が取り付けられ、遮蔽部材３６の切り欠き３６ａをピン３９に架けると、遮蔽部材３６が底面１ｂと床面Ｆとの隙間を遮蔽する位置に設置される。
【００４５】
（第４実施形態）
図９は、本発明の第４実施形態に係る画像形成装置１の構成を示す側面図である。
【００４６】
画像形成装置１の筐体１ａにおける底面１ｂの四隅近傍には、キャスタ２１が設けられている。このキャスタ２１の各々には、軸部２３が取り付けられており、キャスタ２１の各々は、この軸部２３を介して、筐体１ａの底面１ｂに取り付けられた保持部材２５に回動自在に保持される構成となっている。キャスタ２１の装置外周側には、４個のローレットネジ３８が装置の上下方向に移動自在に筐体１ａの底面１ｂに取り付けられている。つまみ３８ａを回転させると、ローレットネジ３８が装置の上下方向に移動して、ローレットネジ３８が下降すると、装置を床面Ｆに支持することができる。
【００４７】
前面１ｃ側の２個のローレットネジ３８に設けたつまみ３８ａの上面には、底面１ｂから出入り自在である遮蔽部材３７が支持されている。ローレットネジ３８の上下移動に連動して、遮蔽部材３７が追随して上下移動する。従って、装置を設置するために、ローレットネジ３８を下降させると、装置内に収納されていた遮蔽部材３７が下降して、底面１ｂと床面Ｆとの隙間を遮蔽する位置に出てくる。
【００４８】
（第５実施形態）
図１０〜図１３は、本発明の第５実施形態に係る画像形成装置を示し、図１０は画像形成装置の構成を示す斜視図であり、図１１は遮蔽部材を示す斜視図であり、図１２は遮蔽部材を示す平面図であり、図１３は筐体に取り付けた遮蔽部材を示す断面図である。
【００４９】
図１０に示すように、遮蔽部材４１は、筐体１ａの底面１ｂと床面との間に形成される隙間において、装置の前面１ｃと側面１dとの間で移動自在に設けられる。この遮蔽部材４１は、装置の両側面１ｄから前面１ｃに向けて移動して、前面１ｃの隙間を遮蔽するように、一方の側面１ｄと前面１ｃにかけて設けられるとともに、他方の側面１ｄと前面１ｃにかけて設けられる。これらの遮蔽部材４１がともに前面１ｃ側に移動すると、遮蔽部材４１の端面に設けた磁石４１ａが互いに当接するので、互いの遮蔽部材４１が磁石４１ａによって密着保持されて、前面１ｃの隙間が遮蔽される。このとき、遮蔽部材４１は、装置の両側面１ｄの一部の隙間も遮蔽する。尚、遮蔽部材４１は、一方の側面１ｄにのみ設けて、前面１ｃ側に移動させて、前面１ｃの隙間を遮蔽するようにしてもよい。
【００５０】
図１１に示すように、遮蔽部材４１は、複数の略直方体状の遮蔽体４１ｂと各遮蔽体４１ｂの上方に設けた案内凸部４１ｃとフック部４１ｄ（図１２参照）とを有し、樹脂で形成される。
【００５１】
遮蔽体４１ｂは、装置の上下方向に長い直方体形状で、その長さを筐体１ａの底面１ｂと床面との間に形成される隙間の高さと略同じ設定されている。複数の遮蔽体４１ｂは、装置の横方向（水平方向）に互いに隣接して配列される。
【００５２】
図１２に示すように、フック部４１ｄは、鉤形に形成され、隣接するフック部４１ｄに互いに回転自在に係合しているので、連結された複数の遮蔽体４１ｂは、フック部４１ｄにおいて遮蔽体４１ｂの配列方向に角度変更することができる。
【００５３】
図１３に示すように、案内凸部４１ｃは、筐体１ａの底面１ｂの前面１ｃと側面１ｄの近傍に連続して設けられた案内溝４２の溝に沿って移動可能に係合している。遮蔽部材４１を装置の側面１ｄから前面１ｃ側に引き出すと、案内凸部４１ｃが案内溝４２に案内され、側面１ｄから、側面１ｄと前面１ｃとのコーナーを経由して前面１ｃに移動して、複数の遮蔽体４１ｂが前面１ｃ側の隙間を遮蔽する。
【００５４】
（第６実施形態）
図１４は本発明の第６実施形態に係る画像形成装置の遮蔽部材の斜視図を示す。遮蔽部材４４は、装置の横方向に向けて伸縮自在の蛇腹状に形成され、第５実施形態と同様に、その上部に案内凸部を備える。案内凸部は案内溝に案内され、装置の前面１ｃに移動する。
【００５５】
（第７実施形態）
図１５は本発明の第７実施形態に係る画像形成装置の側面図を示す。  第７実施形態は、第５実施形態の遮蔽部材に可撓性部材４６を付加した構成である。つまり、遮蔽部材における複数の遮蔽体４１ｂの下方（床面Ｆ側）に可撓性部材４６が設けられる。複数のローレットネジ３８によって装置の高さが調整されて、床面Ｆと底面１ｂとの隙間の高さが変わっても、可撓性部材４６は、床面Ｆに当接するような長さに設定され、常に前面１ｃ側の隙間を遮蔽している。
【００５６】
可撓性部材４６は、ブラシや紐等の繊維形状のもので形成される。繊維形状のものに替えて、織物、不織布等の布状のシート、または板状や繊維状のゴム等弾性を有する材質で形成してもよい。
【００５７】
上述の、可撓性部材４６が遮蔽体４１ｂの下方に設けられる構成に替えて、遮蔽部材そのものが可撓性部材４６で構成される、つまり、可撓性部材４６が筐体の底面１ｂに取り付けられ床面Ｆに当接するように構成してもよい。
【００５８】
また、上述の実施形態に替えて、遮蔽部材は、蛇腹形状にして底面１ｂと床面Ｆとの間で伸縮自在にしても良く、また暖簾状にしても良く、複数の格子状の板を並べて構成しても良い。
【産業上の利用可能性】
【００５９】
本発明は、複写機、プリンタ、ファクシミリ等の画像形成装置に利用することができ、特に装置を床面に支持する脚部材を備える画像形成装置に利用することができる。
【図面の簡単な説明】
【００６０】
【図１】は、本発明の実施形態である画像形成装置の全体構成を示す概略図である。
【図２】は、本発明の第１実施形態である画像形成装置の構成を示す側面図である。
【図３】は、本発明の第１実施形態である画像形成装置の構成を示す前面図である。
【図４】は、本発明の第１実施形態である画像形成装置の遮蔽部材を示す斜視図である。
【図５】は、本発明の第２実施形態である画像形成装置の構成を示す前面図である。
【図６】は、本発明の第２実施形態である画像形成装置の構成を示す側面図である。
【図７】は、本発明の第３実施形態である画像形成装置の遮蔽部材を示す斜視図である。
【図８】は、本発明の第３実施形態である画像形成装置の構成を示す側面図である。
【図９】は、本発明の第４実施形態である画像形成装置の構成を示す側面図である。
【図１０】は、本発明の第５実施形態である画像形成装置の構成を示す斜視図である。
【図１１】は、本発明の第５実施形態である画像形成装置の遮蔽部材を示す斜視図である。
【図１２】は、本発明の第５実施形態である画像形成装置の遮蔽部材を示す平面図である。
【図１３】は、本発明の第５実施形態である画像形成装置の遮蔽部材を示す断面図である。
【図１４】は、本発明の第６実施形態である画像形成装置の遮蔽部材を示す斜視図である。
【図１５】は、本発明の第７実施形態である画像形成装置の要部構成を示す側面図である。
【符号の説明】
【００６１】
１    画像形成装置
１ａ    筐体
１ｂ    底面
１ｃ    前面
１ｄ    側面
２１    キャスタ
２３    軸部
２４    ロック
２５    保持部材
２６    脚部材
３１、３５、３６、３７、４１、４４    遮蔽部材
３２    摺動軸
３３    ガイド部材
３４    ガイド穴
３８    ローレットネジ
３８ａ    つまみ
４６    可撓性部材
【図１】
2008292996.tif 000003
【図２】
2008292996.tif 000004
【図３】
2008292996.tif 000005
【図４】
2008292996.tif 000006
【図５】
2008292996.tif 000007
【図６】
2008292996.tif 000008
【図７】
2008292996.tif 000009
【図８】
2008292996.tif 000010
【図９】
2008292996.tif 000011
【図１０】
2008292996.tif 000012
【図１１】
2008292996.tif 000013
【図１２】
2008292996.tif 000014
【図１３】
2008292996.tif 000015
【図１４】
2008292996.tif 000016
【図１５】
2008292996.tif 000017